(57)【要約】【課題】まつ毛押さえ部に付着した汚れの除去が可能なマスカラ用具収納容器を提供すること。【解決手段】基台部２６と該基台部２６の表面を覆う毛材２９とを備えたまつ毛押さえ部２５を有するマスカラ用具２０における該押さえ部２５を収納するためのマスカラ用具収納容器１２である。収納容器１２は、押さえ部２５の挿入が可能な開口部１３を有し、かつマスカラ薬剤を収容している。開口部１３に、押さえ部２５に付着したマスカラ薬剤をしごき取るしごき部１４が設けられている。【選択図】図２
2009219631.tif 000002
【特許請求の範囲】
【請求項１】
基台部と該基台部の表面を覆う毛材とを備えたまつ毛押さえ部を有するマスカラ用具における該押さえ部を収納するためのマスカラ用具収納容器であって、
前記収納容器は、前記押さえ部の挿入が可能な開口部を有し、かつマスカラ薬剤を収容しており、
前記開口部に、前記押さえ部に付着した前記マスカラ薬剤をしごき取るしごき部が設けられているマスカラ用具収納容器。
【請求項２】
前記基台部が薄板状であり、
前記しごき部が、前記容器を内外に隔て、かつ前記押さえ部の挿入及び引き抜きが可能な円孔を有するしごき弁からなる請求項１記載のマスカラ用具収納容器。
【請求項３】
基台部と該基台部の表面を覆う毛材とを備えたまつ毛押さえ部を有するマスカラ用具と、該マスカラ用具における該押さえ部を収納するためのマスカラ用具収納容器とを備えたマスカラ化粧用具であって、
前記収納容器は、前記押さえ部の挿入が可能な開口部を有し、かつマスカラ薬剤を内容しており、
前記開口部に、前記押さえ部に付着した前記マスカラ薬剤をしごき取るしごき部が設けられているマスカラ化粧用具。
【発明の詳細な説明】
【技術分野】
【０００１】
本発明は、マスカラが施されたまつ毛の状態を整えるためのまつ毛押さえ部を有するマスカラ用具を収納するために用いられるマスカラ用具収納容器に関する。
【背景技術】
【０００２】
マスカラブラシとしては、例えば熱可塑性樹脂からなる複数のブラシ繊維束を、二条の金属芯線材によって挟持しながら、これらをらせん状に捻回することによって得られる、いわゆるスクリューブラシが知られている（特許文献１参照）。スクリューブラシとは別に、マスカラ液の塗布部が形成された塗布用ブラシと、櫛の歯状のコームが形成された整え用ブラシが一体になったマスカラブラシが提案されている（特許文献２参照）。また、マスカラ塗布具の塗布域を、支持棒の軸方向に弓なりに湾曲させ、その湾曲部に針状突起を設けると共に、その反対側に、塗布箇所を整えるための複数の溝を設けたものが提案されている（特許文献３参照）。しかし、これらのマスカラブラシにおけるまつ毛を整える部位は、マスカラ薬剤の塗布部に近接して設けられているので、当該部位によってまつ毛を整えようとしたときに、塗布部に付着していたマスカラ薬剤が意図せず転写してしまい、まつ毛のまわりを汚してしまうおそれがある。また、まつ毛を整える部位に、まつ毛に付着している余剰のマスカラ薬剤が転着・蓄積し、使用を重ねるにつれて該部位が汚れてくる。まつ毛を整える部位を洗浄すれば、蓄積したマスカラ薬剤の除去は可能であるが、洗浄には手間がかかり煩わしい。また、まつ毛を整える部位を交換可能にすれば、汚れのないきれいな状態に戻すことはできるが、使用を重ねれば汚れが蓄積することに変わりはない。
【０００３】
【特許文献１】特開昭６３−１４３００６号公報
【特許文献２】特開２００４−３２９９４６号公報
【特許文献３】特開２００５−１２５０２１号公報
【発明の開示】
【発明が解決しようとする課題】
【０００４】
本発明の目的は、マスカラが施されたまつ毛の状態を整えるために用いられるマスカラ用具における汚れの蓄積を防止することにある。
【課題を解決するための手段】
【０００５】
本発明は、基台部と該基台部の表面を覆う毛材とを備えたまつ毛押さえ部を有するマスカラ用具における該押さえ部を収納するためのマスカラ用具収納容器であって、
前記収納容器は、前記押さえ部の挿入が可能な開口部を有し、かつマスカラ薬剤を収容しており、
前記開口部に、前記押さえ部に付着した前記マスカラ薬剤をしごき取るしごき部が設けられているマスカラ用具収納容器を提供するものである。
【発明の効果】
【０００６】
本発明によれば、まつ毛押さえ部を備えたマスカラ用具を、しごき部を有するマスカラ収納容器に収容することで、該まつ毛押さえ部に付着した汚れが、該マスカラ用具を用いるたびに該しごき部によって除去されるので、該まつ毛押さえ部に汚れが蓄積することが防止される。
【発明を実施するための最良の形態】
【０００７】
以下本発明を、その好ましい実施形態に基づき図面を参照しながら説明する。図１（ａ）には本発明の第１の実施形態のマスカラ化粧用具１０の斜視図が示されている。化粧用具１０は縦長であり、その横断面の形状が円形である略円柱状の形状をしている。図１（ａ）及び（ｂ）に示すように化粧用具１０は、第１及び第２のキャップ部１１，１２と、マスカラ用具２０とから構成されている。マスカラ用具２０は、円柱形状の把持部２１を有している。把持部２１はその長手方向の一端から延出する第１の支持軸２２を有している。これと共に、把持部２１はその長手方向の他端から延出する第２の支持軸２３を有している。第１の支持軸２２と第２の支持軸２３とは、それらの延びる方向が平行となるように把持部２１に取り付けられている。
【０００８】
第１の支持軸２２の先端には、マスカラ薬剤の塗布部２４が備えられている。一方、第２の支持軸２３の先端には、まつ毛押さえ部２５が備えられている。これら塗布部２４及び押さえ部２５の詳細については後述する。
【０００９】
第１及び第２のキャップ部１１，１２はいずれも略筒状体である。第１及び第２のキャップ部１１，１２はその開口部にねじ山１１Ａ，１２Ａが形成されている。このねじ山１１Ａ，１２Ａは、マスカラ用具２０の把持部２１における内壁に形成されたねじ溝と螺合するようになっている。第１及び第２のキャップ部１１，１２が図１（ａ）に示すように把持部２１に螺合した状態においては、上述の塗布部２４及び押さえ部２５は、該第１及び第２のキャップ部１１，１２内に収容されるようになっている。つまり第１のキャップ部１１は、塗布部２４の収納容器となり、第２のキャップ部１２は、押さえ部２５の収納容器となる。
【００１０】
図１（ａ）に示す状態において、第２のキャップ部１２内には押さえ部２５が収容されている。一方、第１のキャップ部１１内には塗布部２４が収容されている。第１のキャップ部１１内及び第２のキャップ部１２内には、同種の又は異種のマスカラ薬剤が充填されている。同図に示す状態において、塗布部２４は第１のキャップ部１１内に充填されているマスカラ薬剤中に浸漬されている。同様に押さえ部２５は第２のキャップ部内に充填されているマスカラ薬剤中に浸漬されている。
【００１１】
塗布部２４は、いわゆるスクリュータイプのブラシと呼ばれる構造を有している。具体的には塗布部２４は、線材からなる芯材と、該芯材に保持された毛材とから構成されている。毛材は、芯材周囲から突出している。芯材の軸線方向から見ると、毛材は放射状に突出している。毛材は、例えば熱可塑性樹脂からなる複数のブラシ繊維束を、二条の金属芯線材（図示せず）によって挟持しながら、これらをらせん状に捻回することによって芯材に保持されている。尤も、塗布部２４の構造はスクリュータイプのブラシに限られず、マスカラブラシの塗布部として用いられている種々の構造を採用することができる。例えばフロッキータイプ、コイルタイプ、コームタイプ、ツリータイプ、カーブタイプ、グラマラスタイプ、つくしタイプ、ひょうたんタイプ、アシンメトリータイプのものを用いることもできる。
【００１２】
押さえ部２５は第２の支持軸２３の長手方向に延びる薄板状の基台部２６を有している。基台部２６は、例えば熱可塑性樹脂、熱硬化性樹脂、エラストマー樹脂などの軽量素材から構成されている。基台部２６は平面視して縦長の細長い台形をしている。つまり、基台部２６は、その先端に向かうに連れて漸次細く（幅狭に）なっている。基台部２６は、該基台部２６の長手方向に沿って湾曲したアーチ状をしている。これと共に基台部２６は、該基台部２６の幅方向に関しては平らになっている（後述する図４及び図６参照）。更に基台部２６は、その先端に向かうに連れて厚みが小さくなっている。
【００１３】
アーチ形の板状をしている基台部２６は、第１の面２７と、これと反対側に位置する第２の面２８を有している。第１の面２７は、基台部２６の長手方向に沿って凸状に湾曲した凸面になっている。一方、第２の面２８は、基台部２６の長手方向に沿って凹状に湾曲した凹面になっている。凸面である第１の面２７と凹面である第２の面２８とは互いに相補形状をなしている。
【００１４】
先に述べたとおり、基台部２６はその幅方向に関して平らになっているが、これに代えて、基台部２６は、実質的に平らと見なせる範囲において幅方向に関して若干湾曲していてもよい。具体的には、基台部２６の第１の面２７側は、その幅方向に関して、外方に向けて若干凸状に湾曲していてもよい。同様に基台部２６の第２の面２８側は、その幅方向に関して、内方に向けて若干凹状に湾曲していてもよい。この湾曲に関し、第１の面２７側及び第２の面２８側それぞれの曲率半径は好ましくは３ｍｍ以上、更に好ましくは５ｍｍ以上、一層好ましくは７．５ｍｍ以上である。第１の面２７側及び第２の面２８側それぞれの曲率半径は同じでもよく、あるいは異なっていてもよい。
【００１５】
基台部２６における第１の面２７及び第２の面２８にはいずれも毛材２９が密植されて、該面２７，２８が該毛材２９で覆われている。ここで言う密植とは、第１の面２７側及び第２の面２８側をまつ毛に押し当てたときに毛材２９間にまつ毛が容易に入り込み難い程度の高密度で、及び／又は、毛材２９間にマスカラ薬剤が容易に貯留し難い程度の高密度で毛材２９が植毛されていることを言う。例えば１ｍｍ2当たりの毛材２９の本数が１０〜５００本、特に４０〜４００本である場合には、毛材２９は密植されていると言うことができる。毛材２９は、その一端が基台部２６の各面２７，２８に結合されてこれらの面２７，２８から起立している。毛材２９は、例えば静電植毛法によって基台部２６に結合され得る。毛材２９がこのように植毛されていることで、押さえ部２７は、まつ毛を押さえる機能及びまつ毛に塗布された余分のマスカラ薬剤を除去する機能を発現する。なお図１には示していないが、本実施形態においては、第１の面２７及び第２の面２８の間の側面にも毛材が結合されていてもよい。
【００１６】
押さえ部２５の詳細について更に説明すると、押さえ部２５を構成する基台部２６は、その長手方向の長さが２０〜４０ｍｍ、特に２５〜３０ｍｍであることが、内眼角から外眼角にわたるまつ毛全体を一度に押さえることができる点から好ましい。また基台部２６は、その幅方向の長さが５〜８ｍｍ、特に６〜７．５ｍｍであることが、まつ毛の根元から毛先にわたる全体を押さえることができる点から好ましい。基台部２６の長手方向に沿う湾曲の程度、即ち、第１の面２７及び第２の面２８の長手方向に沿う湾曲の程度は、曲率半径で表して１５ｍｍ以上、特に２５ｍｍ以上であることが、瞼の湾曲に合わせてまつ毛を確実に押さえつけることができる点から好ましい。なお、曲率半径の上限値に特に制限はない。曲率半径が無限大になった状態が、第１の面２７及び第２の面２８のうちの少なくとも一方が平面である状態に相当する。つまり本実施形態における基台部２６の第１の面２７及び第２の面２８はいずれも、幅方向には平らであり、長手方向には湾曲していたが、これに代えてこれらの面のうちの少なくとも一方は幅方向及び長手方向のいずれの方向にも平らであってもよい。
【００１７】
基台部２６の各面２７，２８に立設されている毛材２９は、その長さが０．５〜２ｍｍ、特に０．５〜１．８ｍｍであることが、まつ毛を首尾良く押し付けることができる点から好ましい。同様の理由により、毛材２９の太さは、直径で表して０．０２〜０．０８ｍｍ、特に０．０３〜０．０７ｍｍであることが好ましい。この場合、第１の面２７及び第２の面２８における毛材２９の材質や太さ、長さ、本数は同じでもよく、あるいは異なっていてもよい。
【００１８】
図２は、マスカラ用具２０の塗布部２４が、その収納容器としての第１のキャップ部１１に収納され、かつ押さえ部２５が、その収納容器としての第２のキャップ部１２に収納された状態を示している。同図に示すように、押さえ部２５の収納容器としての第２のキャップ部１２の開口部に１３に、押さえ部２５の毛材２９に付着したマスカラ薬剤をしごき取るしごき部１４が設けられている。しごき部１４は弾性変形可能な材料から構成されており、キャップ部１２にしごき部１４が設けられていることによって、押さえ部２５をキャップ部１２内から抜き出すときに、押さえ部２５の毛材２９に付着した汚れがしごき部１４によって除去される。この除去は、押さえ部２５を使用するたびに必ず行われるので、押さえ部２５における汚れの蓄積が効果的に防止される。
【００１９】
図３には第２のキャップ部１２の要部を示す分解斜視図が示されている。第２のキャップ部１２におけるしごき部１４は、両端が開口した円筒部１４ａと中空状の円錐台部１４ｂとから構成されている。両者は、円筒部１４ａの一方の開口端と円錐台部１４ｂの底部とが連設するように一体になっている。円筒部１４ａにおける両端部には、該円筒部１４ａの周方向の全域にわたってリブ１４ｃ，１４ｄが形成されている。このような形状を有するしごき部１４は、円錐台部１４ｂの側が第２のキャップ部１２の内部へ向くように、該キャップ部１２の開口部１３に嵌着される。嵌着状態においては、しごき部１４におけるリブ１４ｄが、第２のキャップ部１２の内部に設けられた段差と係合し、該しごき部１４が開口部１３から容易に抜け落ちないようになっている。
【００２０】
しごき部１４において、押さえ部２５に付着した汚れを実際に除去する部位は、円錐台部１４ｂである。円錐台部１４ｂは、第２のキャップ部１２の開口部において、該キャップ部１２を内外に隔て、かつ略中央部に円孔１４ｅを有するしごき弁として機能する。円孔１４ｅは、押さえ部２５の挿入及び引き抜きが可能な大きさを有するものである。円孔１４ｅは、円錐台部１４ｂの頂部に設けられている。
【００２１】
しごき部１４によって除去される押さえ部２５の汚れの除去の程度は、しごき部１４における円孔１４ｅの大きさと、押さえ部２５の幅方向の断面の大きさとの関係に依存する。詳細には、押さえ部２５の円孔１４ｅ内への挿入・引き抜きが行いやすくなるほど、汚れの除去効果は低い。逆に、押さえ部２５の円孔１４ｅ内への挿入・引き抜きが行いにくくなるほど、汚れの除去効果は高い。つまり、汚れの除去効果と、押さえ部２５の円孔１４ｅ内への挿入・引き抜きの難易とは相反する関係にある。このバランスを考慮して、円孔１４ｅの大きさと、押さえ部２５の幅方向の断面の大きさとを設計する。
【００２２】
押さえ部２５に付着した汚れの除去効果を発揮させるには、例えば図４に示すように、押さえ部２５の幅方向の断面の形状を矩形とすることが好ましい。そして、幅方向の断面の大きさを、しごき部１４の円孔１４ｅに対して大きくするか、又は等しくするとより好ましい。この場合、円孔１４ｅの大きさを、押さえ部２５を引き抜くときに円孔１４ｅの変形が矩形断面の形状に沿う大きさとなるようにすることで、押さえ部２５に付着した汚れの除去効果が最大になる。
【００２３】
図５（ａ）〜（ｃ）には、本実施形態のマスカラ化粧用具１０を用いてマスカラ薬剤をまつ毛に塗布している状態が示されている。まず図５（ａ）に示すように、マスカラ用具２０の塗布部２４にマスカラ薬剤を貯留させた状態下に、該塗布部２４をまつ毛に当接させてマスカラ用具２０を上方に移動させる。これによってまつ毛に薬剤を塗布する。この操作を、所望の量のマスカラ薬剤がまつ毛に塗布されるまで行う。
【００２４】
このようにしてまつ毛にマスカラ薬剤が塗布されたら、次に図５（ｂ）に示すように、マスカラ用具２０を左右反転させて、押さえ部２５を目元に近づける。そして押さえ部２５における第２の面２８側をまつ毛に押し当てる。押さえ部２５はまつ毛を押さえる機能を有しているので、該押さえ部２５をまつ毛に押し当ててしばしの間その状態を維持することで、まつ毛にきれいなカールが賦与され仕上がり性が良好になる。この場合、押さえ部２５における第２の面２８側は、瞼の湾曲形状にほぼ合致して長手方向へ凹状に湾曲しているので、内眼角から外眼角までの広い範囲にわたり、１回の操作でまつ毛を押し当てることができる。
【００２５】
また、まつ毛の下側に存在していたマスカラ薬剤の一部が、押さえ部２５による押さえつけでまつ毛の上側に移動する。更に、押さえ部２５に設けられた毛材２９の作用によって、まつ毛の下側に存在していたマスカラ薬剤の一部が、押さえ部２５に転写されてまつ毛から除去される。これらの作用の結果、マスカラ薬剤はまつ毛の上側に偏在することになる。これによって、カールの形状が一層きれいになると共に、その形状が安定的に維持されるようになる。この場合、特に、マスカラ薬剤として高収縮性のものを用いることで、カールが一層顕著なものとなる。そのような高収縮性のマスカラ薬剤の例は後述する。
【００２６】
押さえ部２５によってまつ毛を押し当てる場合には、特にまつ毛の先端域におけるまつ毛の下側を押し当てるようにすると、まつ毛の下側に存在していたマスカラ薬剤が上側に更に移動する。その結果、まつ毛が上方に向けて湾曲したカール形状が維持されやすくなるので好ましい。
【００２７】
図５（ｂ）に示すように、押さえ部２５における第２の面２８側でまつ毛を押さえつける場合、内眼角近辺や、外眼角近辺のまつ毛を押さえつけることが容易でない場合がある。そのような場合には、例えば図５（ｃ）に示すように、押さえ部２５を表裏反転させて、凸面になっている第１の面２７側を使用者の肌に向け、その先端部を用い、内眼角近辺や外眼角近辺（図５（ｃ）では外眼角近辺）のまつ毛を押さえつけることが有利である。
【００２８】
ところで、図５（ａ）〜（ｃ）に示す操作を重ねると、まつ毛に付着している余剰のマスカラ薬剤が、押さえ部２５における基台部２６の表面を覆う毛材２９に転着・蓄積し、該毛材２９が汚れてくる。この汚れを防止するために、本実施形態のマスカラマスカラ化粧用具１０においては、先に述べたとおり、第２のキャップ部１２内にマスカラ薬剤が収容されている。この理由は、しごき部１４によって押さえ部２５から除去された汚れ（この汚れはマスカラ薬剤が固化したものである）を、マスカラ薬剤へ溶解させるためである。この溶解によって、汚れが押さえ部２５に再付着することが防止される。また、図２に示すように、押さえ部２５の収納容器としての第２のキャップ部１２の開口部１３に、押さえ部２５の毛材２９に付着したマスカラ薬剤をしごき取るしごき部１４が設けられていることによって、押さえ部２５をキャップ部１２内から抜き出すときに、押さえ部２５の毛材２９に付着した汚れがしごき部１４によって除去される。この除去は、押さえ部２５を使用するたびに必ず行われるので、押さえ部２５における汚れの蓄積が効果的に防止される。
【００２９】
更に第２のキャップ部１２内にマスカラ薬剤が収容されていることには、次の利点もある。先に説明した図５（ａ）に示す操作に従い、まつ毛にマスカラ薬剤を塗布した後、図５（ｂ）及び（ｃ）に示す操作に従い、押さえ部２５によってまつ毛を整えるときに、該押さえ部２５に少量付着しているマスカラ薬剤がまつ毛に転着する。これによって、押さえ部２５によってまつ毛を整えるのと同時に、まつ毛に追加のマスカラ薬剤が少量塗布されて、まつ毛のボリューム感が増し、一層きれいな仕上がりが実現される。
【００３０】
押さえ部２５にマスカラ薬剤を少量付着させるには、例えば図６に示すように、しごき部１４の円孔１４ｅに対して、押さえ部２５の幅方向の断面の形状を矩形として幅方向を小さくするか、シゴキ部１４の円孔１４eを大きくすればよい。これによって同図に示すように、押さえ部２５に付着しているマスカラ薬剤のうち、しごき部１４によって除去されない分が、押さえ部２５に残存する。このように、円孔１４ｅの大きさと、押さえ部２５の幅方向の断面の矩形形状の大きさとを適宜調節することで、押さえ部２５に所望の量のマスカラ薬剤を付着させることができる。
【００３１】
押さえ部２５に付着した汚れを効果的に除去する観点、及び押さえ部２５に少量のマスカラ薬剤を付着させる観点から、しごき部１４は弾性変形可能な材料、例えば天然ゴムや合成ゴム等のゴム系材料から構成されていることが好ましい。
【００３２】
本実施形態のマスカラ化粧用具１０によって塗布されるマスカラ薬剤の種類に特に制限はなく、従来公知のものを塗布の対象とすることができる。また、第１のキャップ部１１及び第２のキャップ部１２それぞれに貯留されるマスカラ薬剤は、先に述べたとおり、同種のものでもよく、あるいは異種のものでもよい。塗布部２４及び押さえ部２５の双方を備えた本実施形態のマスカラ化粧用具１０の特徴を有効に活用する観点からは、第１のキャップ部１１と第２のキャップ部１２とに貯留されるマスカラ薬剤は異種のものであることが好ましい。なお、第２のキャップ部１２に貯留されるマスカラ薬剤に代えて、押さえ部２５に付着した汚れの洗浄・防腐効果がある洗浄薬剤を使用してもよい。また、塗布部２４が収納される第１のキャップ部１１に貯留されるマスカラ薬剤として、高収縮性のものを用い、押さえ部２５が収納される第２のキャップ部１２に貯留されるマスカラ薬剤として通常のもの（高収縮性でないもの）を用いると、まつ毛のカールの程度を一層顕著なものとできるので好ましい。
【００３３】
前記の高収縮性のマスカラ薬剤は、以下の方法で測定される湾曲角度が５度以上、特に１０度以上のものであることが好ましい。また、前記の通常のマスカラ薬剤（高収縮性でないマスカラ薬剤）は、以下の方法で測定される湾曲角度が５度未満のものであることが好ましい。
【００３４】
〔湾曲角度の測定方法〕
図７（ａ）に示すように、幅２ｃｍ、長さ５ｃｍ、厚さ７５μｍの矩形状のポリエチレンテレフタレート製フィルム（帝人デュポン（株）製、メチネックスＳ）における長手方向中央部の位置に、図７（ｂ）に示すように、幅方向にわたって固形分２０重量％のマスカラ薬剤を、幅５ｍｍにてスペーサー５００μｍのコーターで塗布し塗膜Ｍを形成する。乾燥後の塗布厚は２５０μｍであった。塗膜Ｍを温度２３℃、湿度５０％ＲＨの環境下で１２時間放置する。図７（ｃ）に示すように、乾燥によって塗膜Ｍは収縮する。１２時間経過後、図７（ｄ）に示すように、フィルムＦの曲がり角度θを測定し、その値を湾曲角度とする。
【００３５】
前記の湾曲角度を有するマスカラ薬剤としては、下記に定義されるポリマー占有分変化率（ΔＷ）が１３％以上であるポリマー（以下ポリマー（Ａ）という）及び水を含有し、ポリマー（Ａ）の含有量が３〜５０重量％であるものが挙げられる。
【００３６】
〔ポリマー占有分変化率（ΔＷ）〕
ΔＷは、ポリマーを成膜させる過程において、被膜硬度が鉛筆硬度２Ｂとなってから乾燥するまでのポリマー占有分の変化率で、式（Ｉ）で表される値である。
ΔＷ＝Ｗ２−Ｗ１ （Ｉ）
ここで、Ｗ１及びＷ２は、ポリマー濃度２０重量％の水溶液を調製し、２枚のガラス板上にそれぞれアプリケーターで２５０μｍの厚さで、１１ｃｍ×２０ｃｍの面積に塗布し、２３℃、６５％ＲＨの条件下で乾燥させ、１枚のポリマー展開ガラス板で乾燥に伴う塗布膜の重量変化を測定し、もう１枚で被膜硬度を鉛筆硬度法により測定し、ポリマーの被膜硬度が鉛筆硬度２Ｂ時のポリマー占有分を下記式で算出してＷ１（％）とし、塗布後２４時間後（以下乾燥後という）のポリマー占有分を下記式で算出してＷ２（％）とする。
Ｗ１（％）＝［Ｗｐ／Ｗ１ｔ］×１００
Ｗ２（％）＝［Ｗｐ／Ｗ２ｔ］×１００
（式中、Ｗｐは塗布時の塗布膜中のポリマー重量、Ｗ１ｔは鉛筆硬度２Ｂ時の塗布膜重量、Ｗ２ｔは乾燥後の塗布膜重量である。）
【００３７】
ポリマー（Ａ）としては、前記で定義されたポリマー占有分変化率（ΔＷ）が１３％以上のポリマーであれば、ポリマーの組成、形態にかかわらず使用できるが、ΔＷが１３〜３５％のポリマーが好ましく、１５〜３０％のポリマーが更に好ましい。
【００３８】
ポリマー（Ａ）としては、例えば、ポリメタクリル酸又はその塩等のアクリル系ポリマー、ポリスチレンスルホン酸又はその塩等のスチレン系ポリマー、ポリウレタン、アクリル−ポリウレタン、ポリエステル−ポリウレタン、ポリエーテル−ポリウレタン等のウレタン系ポリマー等が挙げられる。これらポリマーの中では、安全性、ポリマー硬度の面から、メタクリル酸及びその塩から選ばれる少なくとも１種の構成モノマー単位を有するポリマー、スチレンスルホン酸及びその塩から選ばれる少なくとも１種の構成モノマー単位を有するポリマーが好ましく、メタクリル酸及びその塩から選ばれる少なくとも１種の構成モノマー単位を有するポリマーが更に好ましい。また、塩としては、アルカリ金属塩、アルカリ土類金属塩、アンモニウム塩等が挙げられる。
【００３９】
ポリマー（Ａ）の重量平均分子量（ＧＰＣにより測定、ポリエチレングリコール換算）は、５０００〜１００万が好ましく、８０００〜５０万が更に好ましい。また、ポリマー（Ａ）は、水溶液系、水／アルコール混合溶液系、若しくはエマルジョン系など、形態にかかわらず使用できる。
【００４０】
マスカラ薬剤中のポリマー（Ａ）の含有量は、良好なカールを与える観点から３重量％以上で、粘度の面で使用し易い点から５０重量％以下であり、３．５〜５０重量％が好ましく、３．５〜４０重量％が更に好ましい。また、マスカラ薬剤中の水の含有量は、２０〜９５重量％が好ましく、３０〜９０重量％が更に好ましく、４０〜８０重量％が特に好ましい。
【００４１】
以上説明した高収縮性のマスカラ薬剤としては、例えば本出願人の先の出願に係る特開２００５−２６３７０２号公報や特開２００５−２９８４９７号公報に記載のものを用いることもできる。
【００４２】
第１のキャップ部１１と第２のキャップ部１２とに貯留されるマスカラ薬剤が異種のものである場合、その組み合わせは上述のものに限られず、例えば第１のキャップ部１１に通常のマスカラ薬剤を貯留させ、第２のキャップ部１２にトップコート用（つや出し用）のマスカラ薬剤を貯留させてもよい。あるいは、第１のキャップ部１１にアンダーコート用（下地用）のマスカラ薬剤を貯留させ、第２のキャップ部１２に通常のマスカラ薬剤を貯留させてもよい。
【００４３】
次に、本発明の第２の実施形態を、図８を参照しながら説明する。本実施形態については、先に説明した第１の実施形態と異なる点について主として説明し、特に説明しない点については、第１の実施形態に関して詳述した説明が適宜適用される。また、図８において図１ないし図７と同じ部材には同じ符号を付してある。
【００４４】
本実施形態のマスカラ化粧用具１０は、把持部２１ａ，２１ｂの長手方向の一端から延出する支持軸２２，２３と、該支持軸２２，２３の先端に取り付けられた塗布部２４及び押さえ部２５とを備える第１及び第２のマスカラ用具２０ａ，２０ｂ、並びに中央に仕切部３３を有し、二室に区分され、かつ両端が開口した円筒形の収納体３４から構成される。このマスカラ化粧用具１０においては、収納体３４の両端に設けられた開口部３４ａ，３４ｂを通じ、塗布部２４及び押さえ部２５が収納体３４内に収納されるようになっている。収容体３４内に設けられた二室にはそれぞれマスカラ薬剤が貯留されている。そして、押さえ部２５が収納される側の開口部３４ｂには、第１の実施形態と同様のしごき部１４が設けられている。本実施形態によっても、第１の実施形態と同様の有利な効果が奏される。
【００４５】
以上、本発明をその好ましい実施形態に基づき説明したが、本発明は前記実施形態に制限されない。例えば前記の各実施形態においては、基台部２６の第１の面２７及び第２の面２８のいずれもが湾曲形状であったが、これに代えて、基台部２６における第１の面２７及び第２の面２８のうちの一方のみが、基台部２６の長手方向に沿って凸状に又は凹状に湾曲していてもよい。例えば第１の面を凸状の湾曲形状となしかつ第２の面を平面状となしてもよい。あるいは、第１の面を平面状となしかつ第２の面を凹状の湾曲形状となしてもよい。
【００４６】
また、図１（ａ）に示す実施形態においては、基台部２６の第１及び第２の面２７，２８がいずれも長手方向に沿って凹状に湾曲していたが、これに代えて、第１及び第２の面２７，２８がいずれも長手方向に沿って凸状に湾曲していてもよい。
【００４７】
更に本発明は、マスカラ薬剤をまつ毛に塗布するのに特に適したものであるが、これ以外にも例えば眉毛や頭髪の生え際に薬剤や化粧料を塗布するために用いることもできる。
【図面の簡単な説明】
【００４８】
【図１】図１（ａ）は、本発明のマスカラ化粧用具の一実施形態を示す斜視図であり、図１（ｂ）は、図１（ａ）に示すマスカラ化粧用具を分解して示す斜視図である。
【図２】図２は、マスカラ用具の塗布部が第１のキャップ部１１に収納され、かつ押さえ部が第２のキャップ部に収納された状態を示す断面図である。
【図３】図３は、第２のキャップ部の要部を示す分解斜視図である。
【図４】図４は、押さえ部に付着した汚れを除去する場合における押さえ部の幅方向断面図である
【図５】図５（ａ）ないし（ｃ）は、図１（ａ）及び（ｂ）に示すマスカラ化粧用具を用いてまつ毛にマスカラ薬剤を塗布する状態を示す説明図である。
【図６】図６は、押さえ部にマスカラ薬剤を少量付着させる場合における押さえ部の幅方向断面図である。
【図７】図７（ａ）ないし（ｄ）は、マスカラ薬剤の湾曲角度の測定方法を示す説明図である。
【図８】図８は、本発明のマスカラ化粧用具を分解した状態での断面図である。
【符号の説明】
【００４９】
１０  マスカラ化粧用具
１１  第１のキャップ部
１２  第２のキャップ部
２０  マスカラ用具
２１  把持部
２２  第１の支持軸
２３  第２の支持軸
２４  塗布部
２５  押さえ部
２６  基台
２７  第１の面
２８  第２の面
２９  毛材
【図１】
2009219631.tif 000003
【図２】
2009219631.tif 000004
【図３】
2009219631.tif 000005
【図４】
2009219631.tif 000006
【図５】
2009219631.tif 000007
【図６】
2009219631.tif 000008
【図７】
2009219631.tif 000009
【図８】
2009219631.tif 000010